(57)【要約】      （修正有）【課題】一対の破断線が軸方向に沿って形成された筒状のシュリンク包装体において、一対の破断線間における切離し部を、この一対の破断線に沿ってシュリンク包装体から簡単かつ安全に切断させて、シュリンク包装体を容器から取り外す作業が容易に行えるようにする。【解決手段】容器をシュリンク包装するのに用いるシュリンク包装体１０において、筒状になったシュリンク包装体の軸方向に沿って一対の破断線１１，１１を設けると共に、この一対の破断線間における切離し部１２の少なくとも一端に、先端が円弧状になった突出部１２ａを形成した。【選択図】図３
0003136906.tif 000002
【実用新案登録請求の範囲】
【請求項１】
容器をシュリンク包装するのに用いるシュリンク包装体において、筒状になったシュリンク包装体の軸方向に沿って一対の破断線が設けられると共に、この一対の破断線間における切離し部の少なくとも一端に、先端が円弧状になった突出部が形成されてなることを特徴とするシュリンク包装体。
【請求項２】
請求項１に記載のシュリンク包装体において、上記の一対の破断線の部分に破断線表示を設けたことを特徴とするシュリンク包装体。
【請求項３】
請求項１又は請求項２に記載のシュリンク包装体において、上記の切離し部に切離し部表示を設けたことを特徴とするシュリンク包装体。
【考案の詳細な説明】
【技術分野】
【０００１】
本考案は、容器をシュリンク包装するのに用いるシュリンク包装体に係り、特に、筒状になったシュリンク包装体の軸方向に沿って形成された一対の破断線間における切離し部を、この一対の破断線に沿ってシュリンク包装体から簡単かつ安全に切断させて、シュリンク包装体を容器から取り外す作業が容易に行えるようにした点に特徴を有するものである。
【背景技術】
【０００２】
従来より、食品容器、医薬品容器または飲料水容器など各種の容器を包装するのにシュリンク包装体が使用されている。
【０００３】
また、このようにシュリンク包装体によって包装された容器を再生して利用するために、容器からシュリンク包装体を取り外して、容器とシュリンク包装体とを別々に回収することが行われている。
【０００４】
ここで、このように容器からシュリンク包装体を分離させて、容器とシュリンク包装体とを別々に回収するにあたり、従来から、筒状になったシュリンク包装体の軸方向に沿った破断線を１本又は所要間隔を介して２本設け、この破断線に沿ってシュリンク包装体を切断させて、筒状になったシュリンク包装体を切り開いて容器から取り外すことが行われている。
【０００５】
しかし、シュリンク包装体は容器に密着した状態になっているため、弱視の方にとっては、上記のようにシュリンク包装体に設けられた破断線の部分を見つけ出すことが困難であり、またこの破断線に沿ってシュリンク包装体を切断させる作業も非常に困難であった。
【０００６】
このため、従来においては、特許文献１に示されるように、所要間隔を介して設けた２本の破断線間における切離し部に台形状に突出したつまみ部を設け、このつまみ部を指で持って２本の破断線間における切離し部をシュリンク包装体から切断させるようにしたものや、特許文献２に示されるように、破断線の途中に爪を掛けるための爪掛部を設け、この爪掛部に爪を引っ掛けて、シュリンク包装体を破断線に沿って切断させるようにしたものが提案されている。
【０００７】
しかし、上記の特許文献２に示されるように、破断線の途中に爪を掛けるための爪掛部を設けた場合にも、弱視の方にとっては、この爪掛部を見つけ出すことが困難であり、またこの爪掛部に爪を引っ掛けて、シュリンク包装体を破断線に沿って切断させる作業も面倒であり、依然として、シュリンク包装体を破断線に沿ってうまく切断させることが困難であった。
【０００８】
また、上記の特許文献１に示されるように、所要間隔を介して設けた２本の破断線間における切離し部に台形状に突出したつまみ部を設け、このつまみ部を持って２本の破断線間における切離し部をシュリンク包装体から切断させる場合、上記のつまみ部を指でつまむ時に、台形状に突出したつまみ部の角部が指に当たって傷ついたりするという問題があった。
【特許文献１】特開平１０−３１６１４３号公報
【特許文献２】特開２００６−９６４１４号公報
【考案の開示】
【考案が解決しようとする課題】
【０００９】
本考案は、容器をシュリンク包装するのに用いるシュリンク包装体における上記のような問題を解決することを課題とするものである。
【００１０】
すなわち、本考案においては、筒状になったシュリンク包装体の軸方向に沿って一対の破断線が形成されたシュリンク包装体において、この一対の破断線間における切離し部を、この一対の破断線に沿ってシュリンク包装体から簡単かつ安全に切断させて、シュリンク包装体を容器から取り外す作業が容易に行えるようにすることを課題とするものである。
【課題を解決するための手段】
【００１１】
本考案においては、上記のような課題を解決するため、容器をシュリンク包装するのに用いるシュリンク包装体において、筒状になったシュリンク包装体の軸方向に沿って一対の破断線を設けると共に、この一対の破断線間における切離し部の少なくとも一端に、先端が円弧状になった突出部を形成するようにした。
【００１２】
また、このシュリンク包装体においては、上記の一対の破断線の部分に破断線表示を設けたり、また上記の切離し部に切離し部表示を設けたりすることが好ましい。
【考案の効果】
【００１３】
本考案におけるシュリンク包装体においては、筒状になったシュリンク包装体の軸方向に沿って一対の破断線を設けると共に、この一対の破断線間における切離し部の少なくとも一端部に、先端が円弧状になった突出部を形成するようにしたため、このように先端が円弧状になった突出部を指で持って、２本の破断線間における切離し部をシュリンク包装体から簡単に切断させることができると共に、突出部の先端が円弧状になっているため、従来のように突出したつまみ部の角部が指に当たって傷ついたりするということがない。
【００１４】
また、このシュリンク包装体において、上記のように一対の破断線の部分に破断線表示を設けたり、上記の切離し部に切離し部表示を設けたりすると、弱視の方においても、上記の一対の破断線や切離し部の位置が簡単に分かり、先端が円弧状になった突出部を探し出して、切離し部をシュリンク包装体から切断させることが一層容易に行えるようになる。
【考案を実施するための最良の形態】
【００１５】
以下、この考案の実施形態に係るシュリンク包装体を添付図面に基づいて具体的に説明する。なお、この考案に係るシュリンク包装体は、特に下記の実施形態に示したものに限定されるものではなく、その要旨を変更しない範囲において適宜変更して実施できるものである。
【００１６】
この実施形態においては、図１に示すように、筒状になったシュリンク包装体１０の軸方向に沿ってミシン目からなる一対の破断線１１，１１を設けると共に、この一対の破断線１１，１１間における切離し部１２の一端に、先端が円弧状になった突出部１２ａを形成している。
【００１７】
ここで、上記のシュリンクフィルム１０の材料としては、熱によって収縮するフィルム材料が使用され、例えば、延伸ポリスチレンフィルム、延伸ポリエチレンテレフタレートフィルム、延伸ポリプロピレンフィルムなどの熱収縮性を有するプラスチックフィルムを使用することができ、特に、収縮仕上がりの綺麗な延伸ポリスチレンフィルムを使用することが好ましい。
【００１８】
そして、上記のシュリンク包装体１０によって飲料用ボトル等の容器１をシュリンク包装させるにあたっては、このシュリンク包装体１０が容器１の外周を覆うように配置させ、この状態で、上記のシュリンク包装体１０をシュリンクさせて、図３に示すように、このシュリンク包装体１０を容器１の外周に装着させるようにする。
【００１９】
また、このように容器１の外周に装着させたシュリンク包装体１０を容器１から取り外すにあたっては、このシュリンク包装体１０に設けられた上記の先端が円弧状になった突出部１２ａを指で持って、上記の一対の破断線１１，１１間における切離し部１２を、この一対の破断線１１，１１に沿って切断させて、切離し部１２をシュリンク包装体１０から切り離すようにする。
【００２０】
このようにすると、切離し部１２をシュリンク包装体１０から簡単に切断させて、シュリンク包装体１０を容器１から取り外すことができると共に、突出部１２ａの先端が円弧状になっているため、この突出部１２ａに指が当たって傷つくのも防止される。
【００２１】
また、上記の実施形態におけるシュリンク包装体１０において、図３に示すように、上記のミシン目からなる一対の破断線１１，１１の部分に、破断線１１の位置を表示するための太線で構成された破線からなる破断線表示１３を印刷すると共に、上記の切離し部１２に、切離し部１２であることを表示する「はがし口」の文字やはがし方向を示す矢印等の切離し部表示１４を印刷させると、一対の破断線１１，１１の位置や、切離し部１２及びその突出部１２ａの位置を簡単に見つけ出すことができ、切離し部１２を一対の破断線１１，１１に沿って切断させる作業がより簡単に行えるようになる。
【図面の簡単な説明】
【００２２】
【図１】本考案の一実施形態に係るシュリンク包装体を示した概略斜視図である。
【図２】上記の実施形態に係るシュリンク包装体を容器に装着させた状態を示した概略正面図である。
【図３】上記の実施形態に係るシュリンク包装体において、一対の破断線の部分に破断線表示を印刷すると共に、切離し部に切離し部表示を印刷した状態を示した部分説明図である。
【符号の説明】
【００２３】
１  容器
１０  シュリンク包装体
１１  破断線
１２  切離し部
１２ａ  突出部
１３  破断線表示
１４  切離し部表示
【図１】
0003136906.tif 000003
【図２】
0003136906.tif 000004
【図３】
0003136906.tif 000005